(57)【要約】      （修正有）【課題】「置き薬（おきぐすり）」と呼ばれる配置薬と、この配置薬の説明を受けた被説明者がこれを確認する説明確認カードとの利便性が高い組合せを提供する。【解決手段】箱内部に種々の配置薬を収納した配置薬箱１０の側壁部に説明確認カード１２が収納ポケット１１内に添付されている。この説明確認カード１２は２つ折り状態で、その表面には配置薬箱１０内に収納されている複数の配置薬の商品名欄１３とチェック欄１４と、販売員が説明する説明内容を確認する事項１５と、配置薬を配置される配置場所の構成員の中で説明を受けた被説明者が署名する署名欄１６とが掲載されている。【選択図】図１
0003183149.tif 000002
【実用新案登録請求の範囲】
【請求項１】
配置薬とこの配置薬に添付される説明確認カードとの組合せであって、
前記カードは、新規に配置される複数の配置薬を内部に備えた配置薬箱に添付され、
前記カードには、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されていることを特徴とする配置薬と説明確認カード。
【請求項２】
配置薬とこの配置薬に添付される説明確認カードとの組合せであって、
前記カードは、新規に配置される複数の配置薬を内部に備えた配置薬箱に添付され、
前記カードには、少なくとも販売員が説明する前記複数の配置薬の商品名と、販売員が説明する説明内容を確認する事項と、配置薬を配置される配置場所の構成員の中で説明を受けた被説明者が署名する署名欄とが掲載され、
説明を行った販売員に対する態度、言葉遣い、対応の良否を問うアンケート欄が更に掲載されていることを特徴とする配置薬と説明確認カード。
【請求項３】
配置薬とこの配置薬に添付される説明確認カードとの組合せであって、
前記カードは、既に配置場所に配置された配置薬箱に補充される配置薬に添付され、
前記カードには、少なくとも販売員が説明する前記配置薬の商品名と、販売員が説明する説明内容を確認する事項と、配置薬を配置される配置場所の構成員の中で説明を受けた被説明者が署名する署名欄とが掲載されていることを特徴とする配置薬と説明確認カード。
【請求項４】
配置薬とこの配置薬に添付される説明確認カードとの組合せであって、
前記カードは、既に配置場所に配置された配置薬箱に補充される配置薬に添付され、
前記カードの表面に、少なくとも販売員が説明する前記配置薬の商品名と、販売員が説明した旨の事項と、販売員が署名する署名欄とが掲載され、本カードの裏面に粘着部を備えたことを特徴とする配置薬と説明確認カード。
【請求項５】
配置薬とこの配置薬に添付される説明確認カードとの組合せであって、
前記カードは、既に配置場所に配置された配置薬箱に補充される配置薬に添付され、
前記カードには、少なくとも販売員が説明する前記配置薬の商品名と、販売員が説明する説明内容を確認する事項と、配置薬を配置される配置場所の構成員の中で説明を受けた被説明者が署名する署名欄群とが掲載され、
前記署名欄群が、署名された被説明者の署名数を集計し、販売員の表彰のポイントとして用いることを特徴とする配置薬と説明確認カード。
【考案の詳細な説明】
【技術分野】
【０００１】
本考案は、一般に「置き薬（おきぐすり）」と呼ばれる配置薬と、この配置薬の説明を受けた被説明者がこれを確認する説明確認カードとの組合せに関するものである。
【背景技術】
【０００２】
配置薬とは、販売員が消費者の家庭や企業等の配置場所を訪問し、医薬品の入った配置薬箱を配置し、次回の訪問時に使用した分の代金を精算し、集金する仕組みの配置販売業において販売される薬である。
【０００３】
この配置薬については、詳細な服用説明書が箱表面に印刷され、更に、この配置薬の保管箱について、各配置薬の配置期限が一目で判別できる配置期限表示体も提案されている（例えば、特許文献１参照）。また、配置薬の箱内部にもより詳細な服用説明書が添付されており、更には、配置薬箱自体にも、相談用の専用電話番号が記載されており、電話による質問に対しても応答可能な体制を整えてもいる。
【０００４】
配置薬の販売員は、厚生労働省令で定めるところの薬剤師又は登録販売者でなければならず（薬事法第３１条２項２号）、登録販売者は２００９年６月１日より施行されている資格であり、都道府県の実施する試験に合格した上で、医薬品の販売に従事する店舗の所在地の都道府県に販売従事登録をした者となっている。即ち、配置薬の販売員は専門的な知識を有することが求められており、専門的な知識を有した者が販売員として配置場所に訪問している。
【０００５】
そのため、販売員は、専門的な知識を利用して、配置薬の配置薬箱を新規に配置する際や更には配置薬を補充する際に、配置薬を置いておく家庭や会社等の配置場所における家庭や会社等の構成人の性別・年齢・疾病傾向等を加味した健康相談を行ない、的確な情報提供と必要と思われる配置薬の保管等を行っている。
【０００６】
尚、この際に優良な販売員は、付箋紙等にメモ書きを書いて目的の配置薬に貼付しておき、家人等の構成人が配置薬箱内を後日簡単に探すことができるようにしておく等の工夫があると言われている。
【０００７】
更には、配置薬の配置薬箱を新規に配置する際や更には配置薬を補充する際に、家人等の構成人が販売員からの説明を受動的に聞いた場合には、記憶の定着が低く、咄嗟の疾病の際に、所望の配置薬を手にとってもらえない状況が多々ある。そのため、優良な販売員においては、配置薬の効能・特徴を印象づける工夫を行ってもいる。
【先行技術文献】
【特許文献】
【０００８】
【特許文献１】特開平０９−３２８１１４号公報
【考案の概要】
【考案が解決しようとする課題】
【０００９】
現在、配置薬の販売自体は、配置薬とは関係の薄い健康食品等の販売が主体となりつつあり、配置薬の原点である配置薬箱中の配置薬の適切な説明等が忘れ去られつつある傾向に至っている。
【００１０】
一方、配置薬箱中の配置薬を継続的に説明した販売員においては、配置薬箱中の配置薬自体の使用は何ら低減せず、しかも適切な使用が守られていることが聞き取り調査等で確認されている。
【００１１】
本考案は、配置薬の販売員が配置される配置薬の適切な説明を行うことに意義を見いだすことができ、適切な説明が習慣化することを目的とし、配置薬を配置されている家人等においては、配置薬の特徴を印象づけられ、咄嗟の疾病の際にも所望の配置薬を思い出させる効果を期待できる配置薬とこの配置薬の説明確認カードとの組合せを得る。
【課題を解決するための手段】
【００１２】
請求項１に記載された考案に係る配置薬と説明確認カードは、配置薬とこの配置薬に添付される説明確認カードとの組合せであって、
前記カードは、新規に配置される複数の配置薬を内部に備えた配置薬箱に添付され、
前記カードには、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されていることを特徴とするものである。
【００１３】
請求項２に記載された考案に係る配置薬と説明確認カードは、配置薬とこの配置薬に添付される説明確認カードとの組合せであって、
前記カードは、新規に配置される複数の配置薬を内部に備えた配置薬箱に添付され、
前記カードには、少なくとも販売員が説明する前記複数の配置薬の商品名と、販売員が説明する説明内容を確認する事項と、配置薬を配置される配置場所の構成員の中で説明を受けた被説明者が署名する署名欄とが掲載され、
説明を行った販売員に対する態度、言葉遣い、対応の良否を問うアンケート欄が更に掲載されていることを特徴とするものである。
【００１４】
請求項３に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードには、少なくとも販売員が説明する前記配置薬の商品名と、販売員が説明する説明内容を確認する事項と、配置薬を配置される配置場所の構成員の中で説明を受けた被説明者が署名する署名欄とが掲載されていることを特徴とするものである。
【００１５】
請求項４に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードの表面に、少なくとも販売員が説明する前記配置薬の商品名と、販売員が説明した旨の事項と、販売員が署名する署名欄とが掲載され、本カードの裏面に粘着部を備えたことを特徴とするものである。
【００１６】
請求項５に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードには、少なくとも販売員が説明する前記配置薬の商品名と、販売員が説明する説明内容を確認する事項と、配置薬を配置される配置場所の構成員の中で説明を受けた被説明者が署名する署名欄群とが掲載され、
前記署名欄群が、署名された被説明者の署名数を集計し、販売員の表彰のポイントとして用いることを特徴とするものである。
【考案の効果】
【００１７】
本考案は、配置薬の販売員が配置される配置薬の適切な説明を行うことに意義を見いだすことができ、適切な説明が習慣化することを目的とする配置薬とこの配置薬の説明確認カードとの組合せを得ることができるという効果がある。また、配置薬を配置されている家人等においては、配置薬の特徴を印象づけられ、咄嗟の疾病の際にも所望の配置薬を思い出させる効果を期待できる。
【図面の簡単な説明】
【００１８】
【図１】本考案の一実施例の構成を示す説明図である。
【図２】本考案の別の実施例の構成を示す説明図である。
【図３】本考案の更に別の実施例の構成を示す説明図である。
【図４】本考案の更に別の実施例の構成を示す説明図である。
【図５】本考案の更に別の実施例の構成を示す説明図である。
【考案を実施するための形態】
【００１９】
本考案においては、配置薬とこの配置薬に添付される説明確認カードとの組合せであって、このカードは新規に配置される複数の配置薬を内部に備えた配置薬箱に添付され、このカードには少なくとも販売員が説明する前記複数の配置薬の商品名と、販売員が説明する説明内容を確認する事項と、配置薬を配置される配置場所の構成員の中で説明を受けた被説明者が署名する署名欄とが掲載されているものであるため、配置薬の販売員が配置される配置薬の適切な説明を行うことに意義を見いだすことができ、適切な説明が習慣化することができ、配置薬を配置されている家人等においては、配置薬の特徴を印象づけられ、咄嗟の疾病の際にも所望の配置薬を思い出させる効果を期待できる。
【００２０】
即ち、配置薬自体は配置薬箱内に収納されているため、新規に家庭や会社等の配置場所へ配置される配置薬については、配置薬の商品名のリストが掲載されたカードを配置薬箱に添付する。例えば、配置薬箱を新たな家庭に設置する場合には、販売員はこのカードを被説明者となる家人に渡し、薬箱内から配置薬を一つ一つ取り出しつつ、その効能等を家人に説明し、家人は該当する商品名のチェックを入れてもらい、最後の商品の説明が終了した後に、署名欄に家人の署名を記載してもらう。これらチェックや署名により、受動的に説明を受けることに比べて、配置薬の効能等の特徴が印象づけられ、咄嗟の疾病の際にも所望の配置薬を思い出させる効果が期待できる。
【００２１】
署名が済んだ説明確認カードは、販売員によって回収され、販売員の所属する販売会社に確認カード共に報告を行う。販売会社は、後日カードのチェックに基づいて、説明ポイントを集計し、優良な販売員を表彰等を行う際のデータとする。これにより、配置薬の販売員が配置される配置薬の適切な説明を行うことに意義を見いだすことができ、適切な説明が習慣化する効果を奏する。
【００２２】
本考案における説明確認カードとしては、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されているものであればよい。これに加えて、説明を行った販売員に対する態度、言葉遣い、対応の良否を問うアンケート欄が更に掲載されても良い。
【００２３】
従って、別の考案としては、配置薬とこの配置薬に添付される説明確認カードとの組合せであって、このカードは新規に配置される複数の配置薬を内部に備えた配置薬箱に添付され、このカードには少なくとも販売員が説明する前記複数の配置薬の商品名と、販売員が説明する説明内容を確認する事項と、配置薬を配置される配置場所の構成員の中で説明を受けた被説明者が署名する署名欄とが掲載され、説明を行った販売員に対する態度、言葉遣い、対応の良否を問うアンケート欄が更に掲載されているものが挙げられる。
【００２４】
また、本考案における説明確認カードとしては、配置薬と共に被説明者に届けばよい。従って、配置箱に添付したり、配置箱に添付したり、更には販売員が配置薬と共に携帯して説明する際に被説明者に手渡ししても良いが、習慣化を促す点から配置箱や配置薬に添付するものの方がよい。
【００２５】
従って、別の考案としては、配置薬とこの配置薬に添付される説明確認カードとの組合せであって、このカードは既に配置場所に配置された配置薬箱に補充される配置薬に添付され、このカードには少なくとも販売員が説明する前記配置薬の商品名と、販売員が説明する説明内容を確認する事項と、配置薬を配置される配置場所の構成員の中で説明を受けた被説明者が署名する署名欄とが掲載されているものが挙げられる。これにより、既に配置されている配置薬箱に補充する際にも、配置薬の販売員が配置される配置薬の適切な説明を行うことに意義を見いだすことができ、適切な説明が習慣化する効果を奏する。
【００２６】
本考案の説明確認カードとしては、被説明者の確認を得たカードを販売員が回収して、販売員によって販売員の所属する販売会社に確認カード共に報告を行っても良いが、郵送等の方法により、販売会社に送られても良い。その場合には、別の考案に示す通り、配置薬とこの配置薬に添付される説明確認カードとの組合せであって、このカードは既に配置場所に配置された配置薬箱に補充される配置薬に添付され、このカードの表面に少なくとも販売員が説明する前記配置薬の商品名と、販売員が説明した旨の事項と、販売員が署名する署名欄とが掲載され、本カードの裏面に粘着部を備える。
【００２７】
このカードでは、裏面の粘着部で切手を貼って送付する専用葉書や、官製葉書に貼着して郵送されるため、郵送代が必要となる反面、販売員を介さずに郵送等により販売会社にデータが集まるため、不正が防止できる利点がある。
【実施例】
【００２８】
実施例１：配置薬箱
図１は本考案の一実施例の構成を示す説明図である。図に示す通り、本実施例の箱内部に種々の配置薬を収納した配置薬箱１０の側壁部に説明確認カード１２が収納ポケット１１内に添付されている。この説明確認カード１２は２つ折り状態で、その表面には配置薬箱１０内に収納されている複数の配置薬の商品名欄１３とチェック欄１４と、販売員が説明する説明内容を確認する事項１５と、配置薬を配置される配置場所の構成員の中で説明を受けた被説明者が署名する署名欄１６とが掲載されている。
【００２９】
この配置薬箱１０を新たな家庭等に設置する場合には、販売員は説明確認カード１２を家人に渡して薬箱１０内から配置薬（図示せず）を一つ一つ取り出しつつ、その効能等を家人に説明する。家人は説明確認カード１２の該当する商品名１３のチェック欄１４にチェックを入れてもらう。最後の商品の説明が終了した後に、署名欄１６に家人の署名を記載してもらい、販売者はこの説明確認カード１２を回収する。
【００３０】
販売員の所属する販売会社に確認カード共に報告を行う。販売会社は、後日カードのチェックに基づいて、説明ポイントを集計し、優良な販売員を表彰等を行う際のデータとする。これにより、配置薬の販売員が配置される配置薬の適切な説明を行うことに意義を見いだすことができ、適切な説明が習慣化する効果を奏する。説明確認カード１２の裏面側に説明を行った販売員に対する態度、言葉遣い、対応の良否を問うアンケート欄が更に掲載されている。
【００３１】
実施例２：配置薬１
図２は本考案の別の実施例の構成を示す説明図である。ａ図に示す通り、本実施例の配置薬２０の一側壁部に説明確認カード２２が剥離可能に貼着されている。この説明確認カード２２の表面には本配置薬２０の商品名２３と、販売員が説明する説明内容を確認する事項２５と、被説明者が署名する署名欄２６とが掲載されている。
【００３２】
この配置薬２０を訪問した家庭等に設置されている配置薬箱に補充する際には、ｂ図に示す通り、販売員は説明確認カード２２を配置薬２０から剥がし、カードを家人に渡して、配置薬２０の効能等を家人に説明する。家人は商品の説明が終了した後に、署名欄２６に家人の署名を記載してもらい、販売者はこの説明確認カード２２を回収する。
【００３３】
販売員の所属する販売会社に確認カード共に報告を行う。販売会社は、後日カードのチェックに基づいて、説明ポイントを集計し、優良な販売員を表彰等を行う際のデータとする。これにより、配置薬の販売員が配置される配置薬の適切な説明を行うことに意義を見いだすことができ、適切な説明が習慣化する効果を奏する。また、署名をした家人においては、配置薬の特徴を印象づけられ、咄嗟の疾病の際にも所望の配置薬を思い出させる効果を期待できる。
【００３４】
実施例３：配置薬２
図３は本考案の更に別の実施例の構成を示す説明図である。ａ図に示す通り、本実施例の配置薬３０の一側壁部に説明確認カード３２が貼着・剥離可能な貼着部によって貼着されている。この説明確認カード３２の表面には本配置薬３０の商品名３３と、販売員が説明した旨を示す確認する事項３５と、説明を行った販売者が署名する署名欄３６とが掲載されている。
【００３５】
この配置薬３０を訪問した家庭に設置されている配置薬箱に補充する際には、販売員は説明確認カード３２を配置薬３０から剥がし、配置薬３０の効能等を家人に説明する。家人は商品の説明が終了した後に、署名欄２６に販売者の署名を記載した上で、カード３２を家人に渡す。
【００３６】
カードを渡された家人は、ｂ図に示すような官製葉書３８の表面３８ａに販売員の所属する販売会社の住所等を記載し、裏面３８ｂにこのカード３２を貼着し、必要事項を記載の上、投函することにより、販売会社は、後日カードのチェックに基づいて、説明ポイントを集計し、優良な販売員を表彰等を行う際のデータとする。これにより、配置薬の販売員が配置される配置薬の適切な説明を行うことに意義を見いだすことができ、適切な説明が習慣化する効果を奏する。また、署名をした家人においては、配置薬の特徴を印象づけられ、咄嗟の疾病の際にも所望の配置薬を思い出させる効果を期待できる。
【００３７】
実施例４：配置薬３
図４及び図５は本考案の更に別の実施例の構成を示す説明図である。図４及び図５に示す通り、説明確認カード４２、５２には添付していた配置薬の商品名４３、５３と、販売員の会社名、営業部署名、担当者名欄４４、５４と、販売員が説明した旨を示す確認する事項４５、５５と、被説明者が署名する署名欄群４６、５６とが掲載されている。
【００３８】
これらの説明確認カード４２、５２は、何れも十数個の配置薬をまとめた箱単位で配置薬の販売会社等に納品するカートン箱（図示せず）に添付されるものである。販売員は既に訪問した家庭に設置されている配置薬箱に補充する際にカートン箱を荷ほどきした際に各カートン箱から必要な枚数の説明確認カード４２、５２を取り出し、自身の氏名を担当者名欄４４、５４に記載し、配置薬と共に携帯する。
【００３９】
この配置薬を訪問した家庭等に設置されている配置薬箱に補充する際には、販売員は携帯した説明確認カード４２、５２を取り出し、カードを家人に渡して、該当する配置薬の商品名４３、５３と、担当者名４４、５４とを確認してもらい、該当する配置薬の効能等を家人に説明する。家人は商品の説明が終了した後に、署名欄４６、５６に家人の署名を記載してもらい、販売者はこの説明確認カード４２、５２を回収する。
【００４０】
販売員の所属する販売会社に確認カード４２、５２共に報告を行う。販売会社は、後日カードのチェックに基づいて、説明ポイントが集計され、優良な販売員を表彰等を行う際のデータとする。これにより、配置薬の販売員が配置される配置薬の適切な説明を行うことに意義を見いだすことができ、適切な説明が習慣化する効果を奏する。また、署名をした家人においては、配置薬の特徴を印象づけられ、咄嗟の疾病の際にも所望の配置薬を思い出させる効果を期待できる。
【産業上の利用可能性】
【００４１】
配置薬を家庭等に設置する際に販売員が配置される配置薬の適切な説明を行うことに意義を見いだすことができ、適切な説明が習慣化することが期待できる。また、署名する被説明者にとっても、説明された配置薬の特徴が印象づけられ、咄嗟の疾病の際にも所望の配置薬を思い出させる効果を期待できる。
【符号の説明】
【００４２】
１０…配置薬箱、
１１…収納ポケット、
１２…説明確認カード、
１３…商品名欄、
１４…チェック欄、
１５…確認する事項、
１６…署名欄、
２０…配置薬、
２２…説明確認カード、
２３…商品名、
２５…確認する事項、
２６…署名欄、
３０…配置薬、
３２…説明確認カード、
３３…商品名、
３５…確認する事項、
３６…署名欄、
４２、５２…説明確認カード、
４３、５３…商品名、
４４、５４…担当者名欄、
４５、５５…確認する事項、
４６、５６…署名欄、
【図１】
0003183149.tif 000003
【図２】
0003183149.tif 000004
【図３】
0003183149.tif 000005
【図４】
0003183149.tif 000006
【図５】
0003183149.tif 000007
【手続補正書】
【提出日】平成25年2月22日(2013.2.22)
【手続補正１】
【補正対象書類名】実用新案登録請求の範囲
【補正対象項目名】全文
【補正方法】変更
【補正の内容】
【実用新案登録請求の範囲】
【請求項１】
配置薬とこの配置薬に添付される説明確認カードとの組合せであって、
前記カードは、新規に配置される複数の配置薬を内部に備えた配置薬箱に添付され、
前記カードには、上から順に、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されていることを特徴とする配置薬と説明確認カード。
【請求項２】
配置薬とこの配置薬に添付される説明確認カードとの組合せであって、
前記カードは、新規に配置される複数の配置薬を内部に備えた配置薬箱に添付され、
前記カードには、上から順に、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されており、
説明を行った販売員に対する態度、言葉遣い、対応の良否を問うアンケート欄が更に掲載されていることを特徴とする配置薬と説明確認カード。
【請求項３】
配置薬とこの配置薬に添付される説明確認カードとの組合せであって、
前記カードは、既に配置場所に配置された配置薬箱に補充される配置薬に添付され、
前記カードには、上から順に、少なくとも販売員が説明する前記配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されていることを特徴とする配置薬と説明確認カード。
【請求項４】
配置薬とこの配置薬に添付される説明確認カードとの組合せであって、
前記カードは、既に配置場所に配置された配置薬箱に補充される配置薬に添付され、
前記カードの表面に、上から順に、少なくとも販売員が説明する前記配置薬の商品名と、販売員が説明した旨の事項と、販売員が署名する署名欄とが掲載されており、
前記署名欄が説明内容を確認する事項の下に掲載されており、
本カードの裏面に粘着部を備えたことを特徴とする配置薬と説明確認カード。
【請求項５】
配置薬とこの配置薬に添付される説明確認カードとの組合せであって、
前記カードは、既に配置場所に配置された配置薬箱に補充される配置薬に添付され、
前記カードには、上から順に、少なくとも販売員が説明する前記配置薬の商品名と、販売員が説明する説明内容を確認する事項と、配置薬を配置される配置場所の構成員の中で説明を受けた被説明者が署名する署名欄群とが掲載されており、
前記署名欄が説明内容を確認する事項の下に掲載されており、
前記署名欄群が、署名された被説明者の署名数を集計し、販売員の表彰のポイントとして用いることを特徴とする配置薬と説明確認カード。
【手続補正２】
【補正対象書類名】明細書
【補正対象項目名】００１２
【補正方法】変更
【補正の内容】
【００１２】
請求項１に記載された考案に係る配置薬と説明確認カードは、配置薬とこの配置薬に添付される説明確認カードとの組合せであって、
前記カードは、新規に配置される複数の配置薬を内部に備えた配置薬箱に添付され、
前記カードには、上から順に、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されていることを特徴とするものである。
【手続補正３】
【補正対象書類名】明細書
【補正対象項目名】００１３
【補正方法】変更
【補正の内容】
【００１３】
請求項２に記載された考案に係る配置薬と説明確認カードは、配置薬とこの配置薬に添付される説明確認カードとの組合せであって、
前記カードは、新規に配置される複数の配置薬を内部に備えた配置薬箱に添付され、
前記カードには、上から順に、少なくとも販売員が説明する前記複数の配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されており、
説明を行った販売員に対する態度、言葉遣い、対応の良否を問うアンケート欄が更に掲載されていることを特徴とするものである。
【手続補正４】
【補正対象書類名】明細書
【補正対象項目名】００１４
【補正方法】変更
【補正の内容】
【００１４】
請求項３に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードには、上から順に、少なくとも販売員が説明する前記配置薬の商品名と、販売員が説明する説明内容を確認する事項と、配置薬を配置される配置場所の構成員の中で説明を受けた被説明者が署名する署名欄とが掲載されており、
前記署名欄が説明内容を確認する事項の下に掲載されていることを特徴とするものである。
【手続補正５】
【補正対象書類名】明細書
【補正対象項目名】００１５
【補正方法】変更
【補正の内容】
【００１５】
請求項４に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードの表面に、上から順に、少なくとも販売員が説明する前記配置薬の商品名と、販売員が説明した旨の事項と、販売員が署名する署名欄とが掲載されており、
前記署名欄が説明内容を確認する事項の下に掲載されており、
本カードの裏面に粘着部を備えたことを特徴とするものである。
【手続補正６】
【補正対象書類名】明細書
【補正対象項目名】００１６
【補正方法】変更
【補正の内容】
【００１６】
請求項５に記載された考案に係る配置薬と説明確認カードは、配置薬とこの配置薬に添付される説明確認カードとの組合せであって、
前記カードは、既に配置場所に配置された配置薬箱に補充される配置薬に添付され、
前記カードには、上から順に、少なくとも販売員が説明する前記配置薬の商品名と、販売員が説明する説明内容を確認する事項と、配置薬を配置される配置場所の構成員の中で説明を受けた被説明者が署名する署名欄群とが掲載されており、
前記署名欄が説明内容を確認する事項の下に掲載されており、
前記署名欄群が、署名された被説明者の署名数を集計し、販売員の表彰のポイントとして用いることを特徴とするものである。